(57)【要約】【課題】本発明は建築、構築物に用いる乾式壁材の長手方向の端部を付き合わせて出来る縦目地部の構造に関するものである。さらに詳しくは、連結部分の段差を解消し、繋ぎ目が見えないように形成した縦目地用ジョイナに関するものである。【解決手段】乾式壁材Ｄの目地部Ｍを被覆する縦目地用ジョイナＡにおいて、縦目地用ジョイナＡは敷目板Ｂと化粧キャップＣからなり、敷目板Ｂは長尺状板材であり、水平部１と嵌合部４とからなり、化粧キャップＣは垂直平面状の化粧面部８と、化粧面部８の裏面中央に長手方向に突出した係合部９とからなり、化粧面部の上端には屋内側に傾斜して屈曲した段差１２と、段差１２の先端を上方に屈曲した挿入片１３を形成し、化粧面部８の下端には係合部９の根元近傍を切り欠いて案内空隙１４を形成した縦目地用ジョイナＡである。【選択図】図９
2018165432.tif 000002
【特許請求の範囲】
【請求項１】
乾式壁材の目地部を被覆する縦目地用ジョイナにおいて、縦目地用ジョイナは敷目板と化粧キャップからなり、敷目板は長尺状板材であり、水平部と嵌合部とからなり、化粧キャップは垂直平面状の化粧面部と、該化粧面部の裏面中央に長手方向に突出した係合部とからなり、化粧面部の上端には屋内側に傾斜して屈曲した段差と、該段差の先端を上方に屈曲した挿入片を形成し、化粧面部の下端には係合部の根元近傍を切り欠いて案内空隙を形成したことを特徴とする縦目地用ジョイナ。
【発明の詳細な説明】
【技術分野】
【０００１】
本発明は建築、構築物に用いる乾式壁材の長手方向の端部を付き合わせて出来る縦目地部の構造に関するものである。さらに詳しくは、連結部分の段差を解消し、繋ぎ目が見えないように形成した縦目地用ジョイナに関するものである。
【背景技術】
【０００２】
一般に金属板を表面材とし、合成樹脂発泡体を芯材とし、シート状物を裏面材としたサンドイッチ構造の乾式壁材、あるいは無機系の材料からなる乾式壁材を用いて横張り状に壁体を形成した場合には、乾式壁材の長手方向の突き合わせにより縦目地が形成され、縦目地は単に付き合わせたり、コーキング材を植設したり、Ｈ型のジョイナを使用したり、敷目板と化粧キャップの２部材の嵌合により縦目地を形成する方法がある。（例えば、特許文献１、２参照）。
【先行技術文献】
【特許文献】
【０００３】
【特許文献１】実開昭５４−１３８３２２号公報
【特許文献２】特開平１−１２７７６１号公報
【発明の概要】
【発明が解決しようとする課題】
【０００４】
しかしながら、引用文献１、２は重ね合わせた部分に段差は形成されないが、連結部の防水性に問題があった。
【課題を解決するための手段】
【０００５】
本発明はこのような欠点を解決するために、乾式壁材の目地部を被覆する縦目地用ジョイナにおいて、縦目地用ジョイナは敷目板と化粧キャップからなり、敷目板は長尺状板材であり、水平部と嵌合部とからなり、化粧キャップは垂直平面状の化粧面部と、化粧面部の裏面中央に長手方向に突出した係合部とからなり、化粧面部の上端には屋内側に傾斜して屈曲した段差と、段差の先端を上方に屈曲した挿入片を形成し、化粧面部の下端には係合部の根元近傍を切り欠いて案内空隙を形成した縦目地用ジョイナを提供するものである。
【発明の効果】
【０００６】
本発明に係る縦目地用ジョイナによれば、化粧キャップの化粧面部の上端には段差と挿入片、下端には係合部の根元近傍を切り欠いた案内空隙を形成したために、（１）化粧キャップの連結部に段差が形成されず継ぎ目が目立たない。（２）上端の挿入片が下端の挿入空間内収まるために、連結部のガタツキ、ゆるみが無い。等の特徴、効果がある。
【図面の簡単な説明】
【０００７】
【図１】本発明に係る縦目地用ジョイナに使用する敷目板と化粧キャップの一実施例を示す断面図である。
【図２】本発明に係る縦目地用ジョイナの施工状態を示す断面図である。
【図３】本発明に係る縦目地用ジョイナの施工状態を示す斜視図である。
【図４】本発明に係る縦目地用ジョイナに使用する乾式壁材の一実施例を示す断面図である。
【図５】本発明に係る縦目地用ジョイナに使用する乾式壁材の施工状態の一実施例を示す断面図である。
【図６】本発明に係る縦目地用ジョイナの上下の連結状態の一実施例を示す断面図である。
【図７】本発明に係る縦目地用ジョイナの上下の連結状態の一実施例を示す断面図である。
【図８】本発明に係る縦目地用ジョイナの上下の連結状態の一実施例を示す断面図である。
【図９】本発明に係る縦目地用ジョイナに使用する化粧キャップの一実施例を示す斜視図である。
【図１０】本発明に係る縦目地用ジョイナに使用する化粧キャップの一実施例を示す断面図である。
【図１１】本発明に係る縦目地用ジョイナに使用する化粧キャップの一実施例を示す断面図である。
【図１２】本発明に係る縦目地用ジョイナのその他の実施例を示す断面図である。
【発明を実施するための形態】
【実施例】
【０００８】
以下に図面を用いて本発明に係る縦目地用ジョイナの代表的な実施例について詳細に説明する。図１（ａ）、（ｂ）は本発明に係る縦目地用ジョイナＡを示す断面図、図２は縦目地用ジョイナＡの施工状態を示す断面図、図３は縦目地用ジョイナＡの施工状態を示す斜視図、図４は縦目地用ジョイナＡに使用する乾式壁材Ｄの一実施例を示す断面図であり、Ａは縦目地用ジョイナ、図５は乾式壁材Ｄの施工状態を示す断面図であり、Ｂは敷目板、Ｃは化粧キャップ、Ｄは乾式壁材、Ｍは目地部、Ｔは縦目地部、Ｙは横目地部、αは壁下地、βは固定具である。
【０００９】
さらに詳説すると、縦目地用ジョイナＡは金属製薄板材、例えば鉄、アルミニウム、銅、ステンレス、チタン、アルミ・亜鉛合金メッキ鋼板、ガルバ鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種をロール成形、プレス成形、等によって各種形状に成形したものである。
【００１０】
敷目板Ｂは長尺状板材であり、図１（ａ）に示すように水平部１と嵌合部４とから形成したものである。さらに詳説すると、水平部１は水平面状の固定片２と、固定片２の先端をはぜ状に屈曲した舌片３とから形成したものである。また、嵌合部４は水平部１のほぼ中央部分を上方に屈曲して形成した２本のガイド片５と、両ガイド片５の先端を内側方に屈曲し先端を内方に屈曲して断面略Ｕ字状の嵌合溝６を形成し、嵌合溝６内に突出した嵌合爪７とから形成したものである。この嵌合部４は後記する化粧キャップＣの係合部９を係合する部分である。
【００１１】
化粧キャップＣは乾式壁材Ｄの化粧面および断面形状によって定めるものであり、図４に示すような乾式壁材Ｄを使用して壁体を形成する場合には、図９（ａ）〜（ｂ）〜図１１に示すような化粧キャップＣとなる。なお、図６〜図８は化粧キャップＣの連結方法を示す断面図である。なお、化粧キャップＣか説明した短尺状の物の他に、３ｍ以上の長尺状に形成したものでも良いものである。
【００１２】
さらに詳説すると、化粧キャップＣは図９（ａ）〜（ｂ）〜図１１に示すように、狭い幅で垂直平面状の化粧面部８と、化粧面部８の裏面中央に長手方向に突出した係合部９から形成したものであり、化粧面部８は図２、図３に示すように、乾式壁材Ｄの端部を被覆し意匠性、防水性を向上する部分で、上部Ｊと下部Ｋとから形成されたものである。また、図示しないが、乾式壁材Ｄの化粧面Ｄ１と化粧目地Ｄ２と同形状に形成した化粧面部８としても良いものである。
【００１３】
係合部９は化粧面部８の裏面中央に突出可能な位置を９０°で屈曲した立ち上がり部１０と、立ち上がり部１０の先端近傍に外側方に突出して形成した係合片１１からなり、係合片１１は敷目板Ｂの嵌合爪７に係合され、化粧キャップＣを壁下地αに固定するためのものである。なお、図では成形加工上、化粧面８ａの裏面部分にのみ係合部９を形成している。
【００１４】
上部Ｊは、化粧面部８の上端を屋内側に傾斜して屈曲した段差１２と、段差１２の先端を上方に屈曲した挿入片１３とから形成したものである。
【００１５】
下部Ｋは、立ち上がり部１０の根元部分を切り欠いて案内空隙１４を形成し、化粧面部８の裏面を切り欠いて形成した裏面切り欠き１５を設けたものである。
【００１６】
挿入片１３は、図６〜図８に示すように、下部Ｋに形成された案内空隙１４に沿って図６〜図８に示すように挿入空間Ｃ１内に挿入されて上部Ｊと下部Ｋが一体化されるものである。このように形成されることにより、化粧キャップＣの上部Ｊと下部Ｋ間に段差が形成されず、連結部分が目立たない意匠的に優れた縦目地部となるものである。
【００１７】
乾式壁材Ｄは図４に示すように、化粧面Ｄ１と化粧目地Ｄ２を形成した雄雌嵌合構造の乾式壁材Ｄであり、金属系サイディング材、窯業系サイディング材、セラミック、等より成形したものである。
【００１８】
以上説明したのは、本発明に係る縦目地用ジョイナの一実施例に過ぎず、図１２（ａ）、（ｂ）に示すように形成することが出来る。
【００１９】
図１２（ａ）、（ｂ）は、出隅部、あるいは入隅部に使用できる縦目地用ジョイナＡである。
【符号の説明】
【００２０】
Ａ  縦目地用ジョイナ
Ｂ  敷目板
Ｃ  化粧キャップ
Ｃ１  挿入空間
Ｄ  乾式壁材
Ｄ１  化粧面
Ｄ２  化粧目地
Ｊ  上部
Ｋ  下部
Ｍ  目地部
Ｔ  縦目地部
Ｙ  横目地部
α  壁下地
β  固定具
１  水平部
２  固定片
３  舌片
４  嵌合部
５  ガイド片
６  嵌合溝
７  嵌合爪
８  化粧面部
９  係合部
１０  立ち上がり部
１１  係合片
１２  段差
１３  挿入片
１４  案内空隙
１５  裏面切り欠き
１６  化粧面部
【図１】
2018165432.tif 000003
【図２】
2018165432.tif 000004
【図３】
2018165432.tif 000005
【図４】
2018165432.tif 000006
【図５】
2018165432.tif 000007
【図６】
2018165432.tif 000008
【図７】
2018165432.tif 000009
【図８】
2018165432.tif 000010
【図９】
2018165432.tif 000011
【図１０】
2018165432.tif 000012
【図１１】
2018165432.tif 000013
【図１２】
2018165432.tif 000014